(57)【要約】【課題】従来の髪処理装置に比べて発熱部材の温度の立ち上がりを鋭いものにして、必要時には即座に使用できる整髪機器を提供する。【解決手段】髪に向かって放射光を照射して髪を加熱する光源１３と、光源１３の放射光で加熱された髪を冷却する熱電変換素子３７とを備える。揺動開閉可能に連結される第１・第２の挟み腕１・２を有し、両挟み腕１・２の挟み腕ケース８・９の対向面に髪を挟むプレス体５が設けられている。両挟み腕１・２の少なくとも一方の挟み腕ケース８内に、髪に向かって放射光を照射して髪を加熱する光源１３が設けられている。プレス体５の内面に熱電変換素子３７が配置されている。光源１３の放射光で加熱された髪をプレス体５でくせ付けしながら冷却することを特徴とする。【選択図】図８
2019126704.tif 000002
【特許請求の範囲】
【請求項１】
髪に向かって放射光を照射して髪を加熱する光源（１３）と、光源（１３）の放射光で加熱された髪を冷却する熱電変換素子（３７）とを備えることを特徴とする整髪機器。
【請求項２】
揺動開閉可能に連結される第１・第２の挟み腕（１・２）を有し、両挟み腕（１・２）の挟み腕ケース（８・９）の対向面に髪を挟むプレス体（５）が設けられており、
両挟み腕（１・２）の少なくとも一方の挟み腕ケース（８）内に、髪に向かって放射光を照射して髪を加熱する光源（１３）が設けられており、
プレス体（５）の内面に熱電変換素子（３７）が配置されており、
光源（１３）の放射光で加熱された髪をプレス体（５）でくせ付けしながら冷却することを特徴とする請求項１に記載の整髪機器。
【請求項３】
送風ファン（１０）から送給される冷却風で、光源（１３）の周辺構造と熱電変換素子（３７）の放熱部（３８）の冷却を同時に行う請求項２に記載の整髪機器。
【請求項４】
プレス体（５）の内面に熱電変換素子（３７）が配置されており、
プレス体（５）に隣接して光源（１３）の放射光が通過する照射開口（２０）が配置されており、
光源（１３）と熱電変換素子（３７）の間に設けた隔壁（３９）で、光源（１３）の周辺構造を冷却する第１分岐通路（４０）と、熱電変換素子（３７）の放熱部（３８）を冷却する第２分岐通路（４１）が区分されている請求項２または３に記載の整髪機器。
【請求項５】
プレス体（５）と照射開口（２０）の間に、照射開口（２０）から照射された放射光がプレス体（５）の側へ漏洩するのを遮蔽する仕切り壁（４４）が突設されている請求項４に記載の整髪機器。
【請求項６】
一対の挟み腕ケース（８・９）の対向面の少なくとも一側面に髪梳き体（２８）が配置されており、
髪梳き体（２８）が、照射開口（２０）を通過する放射光の照射方向に沿って突設されている請求項４または５に記載の整髪機器。
【請求項７】
挟み腕ケース（８・９）の揺動先端側に、送風ファン（１０）から送給された冷却風を挟み腕ケース（８・９）の外へ排出する端部開口（４２・４３）が開口されている請求項３に記載の整髪機器。
【発明の詳細な説明】
【技術分野】
【０００１】
本発明は、例えばヘアーアイロンに代表されるように、髪に熱を加えながらくせ毛を真直ぐに伸ばすストレート処理や、直毛をカールさせるカール処理などの髪処理を行うための整髪機器に関する。
【背景技術】
【０００２】
本発明の整髪機器においては加熱用の熱源としてハロゲンランプを使用するが、このように発光器を熱源とする機器は例えば特許文献１の睫毛カール器に開示されている。特許文献１の睫毛カール器では、把手の内部に電池およびソケットが収容され、ソケットに装着した細長棒状の電球と、電球の周囲を覆うカール棒が把手の一端から突設されている。カール棒は細径のステンレスパイプからなり、その突端に電球が点灯しているか否かを視認するための透口が開口されている。睫毛カール器の使用時には、電源スイッチをオン操作して電球を点灯し、電球から放射される熱でカール棒を加熱し、睫毛をカール棒で下から上へ数回持ち上げて上向きにカールさせる。
【０００３】
本出願人は、ヘアーアイロンに関して特許文献２の髪処理装置を先に提案している。特許文献２の髪処理装置では、一対の挟み腕のうち、第１挟み腕のケースに送風ファンおよびモーターと、イオン発生装置と、加熱ブロックが設けられ、第２挟み腕のケースに、先の加熱ブロックに対応した同形の加熱ブロックが設けられている。加熱ブロックは、ＰＴＣヒーターからなる発熱体と、発熱体の周囲を覆う外ケースを備えており、発熱体から外ケースに伝導した熱で、一対の加熱ブロックに挟み保持された髪を加熱できる。
【先行技術文献】
【特許文献】
【０００４】
【特許文献１】実開平０５−７４４０２号公報
【特許文献２】特開２００６−１２２３１３号公報
【発明の概要】
【発明が解決しようとする課題】
【０００５】
特許文献２の髪処理装置によれば、スイッチノブをオン操作してから、発熱体の温度が髪処理に適した温度にまで上昇して安定するのに時間が掛かる（約４〜５分）ため、髪処理装置を即座に使用できない不便がある。
【０００６】
本発明の目的は、従来の髪処理装置に比べて発熱部材の温度の立ち上がりを鋭いものにして、必要時には即座に使用できる整髪機器を提供することにある。
【課題を解決するための手段】
【０００７】
本発明の整髪機器は、髪に向かって放射光を照射して髪を加熱する光源１３と、光源１３の放射光で加熱された髪を冷却する熱電変換素子３７とを備える。
【０００８】
揺動開閉可能に連結される第１・第２の挟み腕１・２を有し、両挟み腕１・２の挟み腕ケース８・９の対向面に髪を挟むプレス体５が設けられている。両挟み腕１・２の少なくとも一方の挟み腕ケース８内に、髪に向かって放射光を照射して髪を加熱する光源１３が設けられている。プレス体５の内面に熱電変換素子３７が配置されている。光源１３の放射光で加熱された髪をプレス体５でくせ付けしながら冷却することを特徴とする。
【０００９】
送風ファン１０から送給される冷却風で、光源１３の周辺構造と熱電変換素子３７の放熱部３８の冷却を同時に行う。
【００１０】
プレス体５の内面に熱電変換素子３７が配置されている。プレス体５に隣接して光源１３の放射光が通過する照射開口２０が配置されている。光源１３と熱電変換素子３７の間に設けた隔壁３９で、光源１３の周辺構造を冷却する第１分岐通路４０と、熱電変換素子３７の放熱部３８を冷却する第２分岐通路４１が区分されている。
【００１１】
プレス体５と照射開口２０の間に、照射開口２０から照射された放射光がプレス体５の側へ漏洩するのを遮蔽する仕切り壁４４が突設されている。
【００１２】
一対の挟み腕ケース８・９の対向面の少なくとも一側面に髪梳き体２８が配置されている。髪梳き体２８が、照射開口２０を通過する放射光の照射方向に沿って突設されている。
【００１３】
挟み腕ケース８・９の揺動先端側に、送風ファン１０から送給された冷却風を挟み腕ケース８・９の外へ排出する端部開口４２・４３が開口されている。
【発明の効果】
【００１４】
光源１３の放射光で加熱された髪を熱電変換素子３７により冷却できるので、髪を直ちに固定化して、髪がくせ付け前の状態に戻ろうとするのを確実に防止できる。
【００１５】
光源１３の放射光で加熱された髪をプレス体５でくせ付けしながら冷却することにより、髪を直ちに固定化して、髪がくせ付け前の状態に戻ろうとするのを確実に防止できる。
【００１６】
送風ファン１０から送給される冷却風で、光源１３の周辺構造と熱電変換素子３７の放熱部３８の冷却を同時に行うことにより、光源１３の周辺構造を冷却する送風構造と、熱電変換素子３７を冷却する送風構造が個別に設けられている場合に比べて、整髪機器の構造を簡素化して軽量化できる。
【００１７】
光源１３と熱電変換素子３７の間に設けた隔壁３９で、光源１３の周辺構造を冷却する第１分岐通路４０と、熱電変換素子３７の放熱部３８を冷却する第２分岐通路４１が区分されていることにより、１個の送風ファン１０から送給された冷却風を、各分岐通路４０・４１に沿って光源１３の周辺構造と、熱電変換素子３７の放熱部３８に整然と送給できるので、冷却対象となる先の周辺構造および放熱部３８を確実に冷却することができる。また、光源１３の周辺構造の熱を隔壁３９で遮断して、放熱部３８が周辺構造の熱で加熱されるのを防止できるので、放熱部３８による熱電変換素子３７の冷却を効率よく行って、熱電変換素子３７の熱電変換効率を向上し、プレス体５を効果的に冷却できる。
【００１８】
プレス体５と照射開口２０の間に、照射開口２０から照射された放射光がプレス体５の側へ漏洩するのを遮蔽する仕切り壁４４が突設されていることにより、照射開口２０から照射された放射光がプレス体５の側へ入込むのを仕切り壁４４で遮断して、プレス体５が放射光で加熱されるのを防止できる。従って、照射開口２０から照射された放射光で加熱された髪を、プレス体５でくせ付けしながら冷却して髪を確実に固定化することができる。
【００１９】
髪梳き体２８が、照射開口２０を通過する放射光の照射方向に沿って突設されていることにより、一対のプレス体５・５で髪を挟み保持し、さらに髪梳き体２８を髪束に食い込ませることにより、髪を確りと保持することができる。従って、単に一対のプレス体５・５で髪を挟み保持してテンションを作用させる場合に比べて、髪に対してさらに的確にテンションを作用させて、髪の乾燥やストレート処理を適確に行うことができる。また、髪を挟み腕ケース８・９の周囲に巻込む場合には、髪を挟み腕ケース８・９の周囲に密着する状態で楽に巻込むことができる。
【００２０】
挟み腕ケース８・９の揺動先端側に、送風ファン１０から送給された冷却風を挟み腕ケース８・９の外へ排出する端部開口４２・４３が開口されていることにより、第１分岐通路４０を流れる冷却風を端部開口４２から確実に排出して、リフレクター１９が過熱するのを防ぐことができる。また、第２分岐通路４１を流れる冷却風を端部開口４３から円滑に排出して、熱電変換素子３７が過熱して変換効率が低下するのを防止できる。さらに、整髪機器のグリップ部１Ｂを片手で握り、他方の手を挟み腕ケース８・９の先端にあてがった状態で髪処理を行う場合には、端部開口４２・４３から吹出る冷却風が他方の手に強く当たるので、挟み腕ケース８・９の内部の電気機器が正常に作動していることを明確に確認できる。
【図面の簡単な説明】
【００２１】
【図１】実施例１に係る整髪機器の一部を破断した正面図である。
【図２】実施例１に係る整髪機器の側面図である。
【図３】実施例１に係る整髪機器の第１挟み腕の縦断側面図である。
【図４】実施例１に係る整髪機器の使用例を示す斜視図である。
【図５】（ａ）（ｂ）は、実施例１に係る整髪機器の使用例を示す正面図である。
【図６】実施例２に係る整髪機器の一部を破断した正面図である。
【図７】実施例３に係る整髪機器の一部を破断した正面図である。
【図８】実施例４に係る整髪機器の一部を破断した正面図である。
【図９】実施例４に係る整髪機器の使用例を示す側面図である。
【図１０】実施例５に係る整髪機器の一部を破断した正面図である。
【図１１】髪の乾燥方法の一例を示す斜視図である。
【発明を実施するための形態】
【００２２】
（実施例１）  図１から図５に、実施例１に係るヘアーアイロン（整髪機器）を示す。本発明における前後、左右、上下とは、図２に示す交差矢印と、各矢印の近傍に表記した前後、左右、上下の表示に従う。図２に示すように、ヘアーアイロンは上下に対向配置した第１挟み腕１および第２挟み腕２の基端どうしを揺動軸３で連結して構成されており、両挟み腕１・２の先端側半分にプレス部Ａ１が設けられ、残る半分にグリップ部Ａ２が設けられている。両挟み腕１・２は揺動軸３のまわりに揺動開閉でき、揺動軸３に装着した捻じりコイルばね４で開き勝手に揺動付勢されており、自由状態におけるヘアーアイロンは図２に実線で示す開放姿勢に保持されている。開放姿勢にある両挟み腕１・２のグリップ部Ａ２を片方の手で握ると、ヘアーアイロンが閉じ姿勢に切換って、一対のプレス部Ａ１の対向面に設けたプレス体５・５で髪を挟むことができる。
【００２３】
図２および図４に示すように、第１挟み腕１と第２挟み腕２は、それぞれ細長い羽子板形の挟み腕ケース８・９を備えており、中空状に形成した各ケース８・９の内部に送風ファン１０と、同ファン１０を回転駆動するモーター１１と、イオン発生器１２と、光源１３が記載順に配置されている。また、一対のプレス部Ａ１の対向面における挟み腕ケース８・９の平端壁８ａ・９ａにはプレス体５が組付けられており、そのプレス面１４は先の平端壁８ａ・９ａより膨出されている。プレス体５はアルミニウム板材を素材にして、前後に長い長方形の皿状に形成したプレス成形品からなり、そのプレス面１４の側には髪のすべりを促進するフッ素樹脂がコーティングしてある。
【００２４】
図３に示すように、送風ファン１０およびモーター１１は、挟み腕ケース８・９の内部に設けたモーターホルダー１５で支持されており、モーターホルダー１５から連出したブラケット１６でイオン発生器１２が支持されている。グリップ部Ａ２の第２挟み腕２には上記の各機器を起動させ、あるいは作動を停止するスライドノブ１７とメインスイッチ１８が設けられている。
【００２５】
光源１３は、市販品のハロゲンランプ、カーボンランプ、ＬＥＤランプなどを適用でき、この実施例では両口金型の棒状のハロゲンランプで光源１３を構成している。プレス体５で挟まれた髪に向かって光源１３の放射光を照射し（図５参照）、同時に光源１３と正対するプレス体５を放射光で加熱するために、挟み腕ケース８・９の内部にリフレクター１９を設け、挟み腕ケース８・９の左右両側に照射開口２０を開口している。リフレクター１９は、光源１３の前後面および上面を覆う外鏡体１９ａと、プレス体５の上開口面の左右両側を覆う一対の内鏡体１９ｂを備えており、両鏡体１９ａ・１９ｂによって、放射光を左右の照射開口２０に向かって斜め下向きに案内する横加熱光路２１と、プレス体５に向かって案内する縦加熱光路２２がきのこ断面状に区画されている。プレス体５が光源１３の放射光で加熱されるとき、プレス体５の温度が高くなり過ぎるのを防ぐために、両加熱光路２１・２２内に温度調整手段を設けることができる。温度調整手段としては、例えば、縦加熱光路２２に一群の小孔を備えた板状材を配置して、放射光の一部を遮蔽する構造や、縦加熱光路２２の入り口の開口面積を小さくして放射光の量を制限する構造などが考えられる。
【００２６】
各鏡体１９ａ・１９ｂの内面は、それぞれ鏡面状に仕上げられていて、光および熱を照射開口２０およびプレス体５に向かって効率よく反射案内できる。因みに、ハロゲンランプからなる光源１３は、光源１３が点灯されるのと同時に照射される放射光で髪を加熱して髪処理を行うことができる。光源１３は、例えばＰＴＣヒーターを熱源とする従来の髪処理装置に比べて、温度の立ち上がりが鋭く、発光と同時に高い温度の放射光を照射できるので、必要時には即座に使用できる整髪機器が得られる。また、放射光の一部をプレス体５に向かって照射することにより、髪を加熱しながらプレス体５を短時間で加熱できる。
【００２７】
光源１３の照射光は輝度が高いため、照射開口２０から直接照射すると眩しすぎて、照射光を直視するのが困難となり、整髪作業を円滑に行うことが困難となる。こうした不具合を防ぐために、照射開口２０に防眩フィルター２３を嵌め込んでいる。防眩フィルター２３はガラスを基材にして構成されており、眩しい光の通過は阻止するが、髪の加熱に寄与する光成分（青色光を除く可視光および赤外光）の通過は妨げないフィルター機能を備えている。なお、眩しい光とは、青色光および紫外光などの５００ｎｍ以下の短波長帯域の光を意味する。光源１３から放射された放射光は、防眩フィルター２３を介して挟み腕ケース８・９の外へ照射されて、プレス体５を通過する前の髪と、一対のプレス体５を通過した後の髪を加熱することができる。この実施例における防眩フィルター２３は、波長が短い電磁波を吸収するロングパスフィルターからなり、光源１３から放射される可視光線と赤外線のうち、主に可視光線を吸収する。ハロゲンランプからなる光源１３の場合には、４００〜３０００ｎｍの電磁波（可視光線と赤外線）を放射するが、この電磁波のうち７００ｎｍ以下の可視光線を防眩フィルター２３で吸収して、防眩フィルター２３を通過した放射光の眩しさを軽減している。
【００２８】
上記のように、照射開口２０に防眩フィルター２３が配置された整髪機器によれば、髪処理を行う場合に、短波長帯域の眩しい光が照射開口２０から照射されるのを防眩フィルター２３で阻止できる。従って、整髪時に照射開口２０から照射された放射光の一部がユーザーの目に届くことがあったとしても、眩しさを感じさせることがなく、整髪作業を円滑に行うことができる。また、防眩フィルター２３の外面が、挟み腕ケース８・９の表面に連続して面一状に形成されているので、髪を挟み腕ケース８・９の周囲に巻込む際に、防眩フィルター２３の表面に髪が絡みつくのを解消して、髪を円滑に巻込むことができる。
【００２９】
プレス部Ａ１における挟み腕ケース８・９の断面外郭形状は、先の平坦壁８ａ・９ａと半円状の円弧部分を備えた外突湾曲状に形成されており、髪を挟んだ状態では半円形の挟み腕ケース８・９が一対のプレス体５を間にして概ね円形に連続する。このように、一対の挟み腕ケース８・９のプレス部Ａ１の断面外郭形状を外突湾曲状に形成されていると、髪を挟み腕ケース８・９の周囲に巻込んだ状態において、照射開口２０に臨む髪を光源１３の放射光で加熱できる。また、髪を挟み腕ケース８・９の周囲に巻込んだ状態でゆっくりと梳き流すことにより、照射開口２０の外面を通過する髪に放射光を照射して加熱しながら、髪にカール処理やストレート処理などを施すことができる。
【００３０】
先に説明したように、挟み腕ケース８・９の内部には送風ファン１０が収容されており、送風ファン１０から送給された冷却風で光源１３の周辺構造を冷却する。詳しくは、外鏡体１９ａと挟み腕ケース８・９の周囲壁との間に区画される冷却風通路２６に沿って冷却風を送給し、冷却風通路２６に臨む外鏡体１９ａと、外鏡体１９ａで支持される光源１３のソケットを外面から冷却する。外鏡体１９ａの熱を奪った冷却風は、照射開口２０に隣接して多段状に開口した排風出口２７から挟み腕ケース８・９の外へ吹出される。送風ファン１０に臨む挟み腕ケース８・９の対向面には、それぞれ吸込み口３０が開口されている（図３参照）。
【００３１】
排風出口２７から排出された冷却風は、外鏡体１９ａとの接触で加熱されており、さらにイオン発生器１２から送給されたマイナスイオンが含まれている。そのため、マイナスイオンを含む冷却風を、プレス体５を通過する前の髪と、一対のプレス体５を通過した後の髪に同時に吹付けて、マイナスイオンをキューティクルの隙間から髪の内部に浸透させて潤いを与えることができる。また、プラスに帯電した髪の静電気を中和して水分率を維持できる。
【００３２】
各プレス体５の左右の平端壁８ａ・９ａには、プレス体５を間に挟む状態で２種のブリッスル（髪梳き体）２８・２９が直線列状に突設されている。詳しくは、プレス体５を間に挟む挟み腕ケース８・９の平端壁８ａ・９ａの左右両側に、プレス体５で挟み保持される髪を梳き流すブリッスル２８を対向状に突設し、平端壁８ａ・９ａに隣接する挟み腕ケース８・９の周壁に、両ケース８・９の周囲に巻込まれる髪を梳き流すブリッスル２９が外側方へ向かって突設されている。
【００３３】
上記のように、プレス体５の左右両側にブリッスル２８・２９が突設されていると、一対のプレス体５で髪を挟み保持し、さらに片方の髪梳き体２８・２９を髪束に食い込ませた状態で、挟み腕ケース８・９を４５度以上回転させ、各ブリッスル２８・２９を髪に食込ませることにより、髪を確りと保持して、プレス体５で挟み保持した髪により大きなテンションを掛けることができる。従って、単に一対のプレス体５で髪を挟み保持してテンションを作用させる場合に比べて、髪に対してさらに的確にテンションを作用させて、髪の乾燥やストレート処理を適確に行うことができる。また、髪を挟み腕ケース８・９の周囲に巻込む場合には、髪を挟み腕ケース８・９の周囲に密着する状態で楽に巻込むことができる。さらに、横向きに突設されるブリッスル２９は、照射開口２０を通過する光源１３の放射光の照射方向に沿って突設されているので、ブリッスル２９で捕捉された髪に放射光を確実に照射することができる。従って、プレス体５で挟み保持した髪の乾燥とくせ付けを効果的に行うことができる。加えて、各ブリッスル２８・２９でもつれた髪を梳きながら空間を形成できるので、照射開口２０を通過した放射光を髪の奥部まで到達させて、効果的に髪の乾燥を行うことができる。
【００３４】
ヘアーアイロンを使用する場合には、髪の根本近くを一対のプレス体５で帯状に挟み保持し、図４に示すように髪にテンションを作用させた状態で、両挟み腕１・２を毛先に向かって移動操作してくせ毛を真直ぐに伸ばす。このとき、プレス体５で挟み保持されてプレス体５を通過する前の髪と、プレス体５を通過した後の髪は、図５（ａ）に示すように、光源１３の放射光が防眩フィルター２３を介して破線で示すように斜め下向きに照射されて加熱され、同時に常温空気より温度が高くマイナスイオンを含む冷却風を実線で示すように吹付けることができる。そのため、ＰＴＣヒーターからなる発熱体の熱で外ケースを加熱して髪処理を行う従来のヘアーアイロンに比べて、プレス体５によるストレート処理を効果的に行うことができる。また、光源１３には、可視光と赤外光が含まれており、なかでも近赤外光は髪に付着している水分に吸収されやすいため、髪の乾燥を短時間で効率よく行うことができる。
【００３５】
また、髪をカール処理する場合には、図５（ｂ）に示すように、髪の毛先を一対のプレス体５で帯状に挟み保持した状態で、挟み腕ケース８・９を髪の根元に向かって回転操作してその周囲に髪を巻付け、その状態を５〜１０秒間保持する。このように、挟み腕ケース８・９の周囲に髪を巻付けた状態では、プレス体５の熱と、光源１３の放射光の熱と、排風出口２７から排出される冷却風の熱によって髪が加熱されてカール状にくせ付けされる。所定の時間が経過したら挟み腕ケース８・９を髪の毛先側へ回転操作し、さらに両挟み腕ケース８・９を開放姿勢に戻して、髪をヘアーアイロンから分離する。上記のように、プレス体５の熱と、光源１３の放射光の熱と、冷却風の熱によって髪を加熱すると、挟み腕ケース８・９の周囲に巻付けた髪を、過不足なく確実に加熱してヘアーアイロンによるカール処理を効果的に行うことができる。
【００３６】
上記の整髪機器によれば、光源１３が点灯されるのと同時に照射される放射光で髪を加熱して髪処理を行うので、例えばＰＴＣヒーターを熱源とする従来の髪処理装置に比べて、温度の立ち上がりが鋭く、発光と同時に高い温度の放射光を照射できる。従って、必要時には即座に使用できる整髪機器を提供できる。整髪を行う状態においては、一対のプレス体５・５で挟んだ髪にテンションを作用させながら、光源１３の放射光を照射開口２０から斜め下向きに照射して、プレス体５・５で引っ張られた髪を光源１３の放射光の熱で速やかに加熱できる。従って、髪の乾燥を効果的に行うことができる。また、光源１３の放射光が髪に照射されている状態を目視しながら髪の乾燥状況を確認できるので、髪をむらなく乾燥させることができる。
【００３７】
挟み腕ケース８・９の両側面のそれぞれに照射開口２０・２０を形成し、１個の光源１３の放射光を一対の照射開口２０から斜め下向きに照射して、一対のプレス体５・５を通過する前の髪と、一対のプレス体５・５を通過した後の髪を同時に加熱できる。従って、各照射開口２０に対応して光源１３が２個設けてある場合に比べて、整髪機器の構造を簡素化して軽量化できるので、整髪機器の使い勝手を向上できるうえ、全体コストを削減できる。また、１個の光源１３とプレス体５が正対させてあるので、光源１３の放射光を照射開口２０から照射して髪を加熱しながら、プレス体５を光源１３の放射光で同時に加熱できる。こうした整髪機器によれば、光源１３の放射光の一部を利用してプレス体５を加熱できるので、別途設けたヒーターでプレス体５を加熱する場合に比べて、整髪機器の構造を簡素化して軽量化し、全体コストを削減できる。また、プレス体５・５で引っ張られた髪を光源１３の放射光の熱と、プレス体５の熱で速やかに加熱できるので、髪の乾燥をさらに効果的に行うことができる。
【００３８】
照射開口２０に隣接して排風出口２７を開口し、リフレクター１９を冷却した後の冷却風を排風出口２７から挟み腕ケース８・９の外へ放出するので、リフレクター１９を冷却した後の温度が高い冷却風を排風出口２７から髪に向かって放出できる。従って、光源１３の放射光の熱と、プレス体５の熱と、温度が高い冷却風の熱を髪に対して同時に作用させて、髪の乾燥やくせ付けをさらに効果的に行うことができる。
【００３９】
実施例１に係るヘアーアイロンは、以下の形態で実施することができる。
縦加熱光路２２を省略して光源１３の放射光を照射開口２０からのみ照射できるようにし、プレス体５の内面にペルチェ素子（熱電変換素子）を配置して、整髪時のプレス体５をペルチェ素子で冷却できるようにする。こうしたヘアーアイロンによれば、照射開口２０から照射された放射光の熱で髪を乾燥させながら、加熱された髪を冷却されたプレス体５でセットすることができる。
また、プレス体５の内面に超音波素子を配置して、超音波振動による髪の矯正を行えるようにする。こうしたヘアーアイロンによれば、照射開口２０から照射された放射光で加熱された髪に、プレス体５を介して超音波振動を作用させて、髪の矯正をさらに的確に行うことができる。
【００４０】
（実施例２）  図６はヘアーアイロンの実施例２を示す。そこでは、一対のプレス体５・５の対向面のそれぞれに、照射開口２０・２０を正対する状態で開口し、挟み腕ケース８・９の内部中央に光源１３を配置し、光源１３の照射背面をリフレクター１９で覆うようにした。リフレクター１９は、断面がＵ字状のアルミニウムなどの金属製の成型品からなり、その開口周縁に張り出したフランジ壁１９ｃがプレス体５の内面にビスで締結固定されて、照射開口２０に装着した防眩フィルター２３の周縁を、プレス体５とリフレクター１９で挟持固定している。リフレクター１９の内面は鏡面状に仕上げられており、光源１３から照射背面に向かって照射された放射光を照射開口２０へ向かって反射させるので、光源１３から照射された放射光の殆どを照射開口２０から照射して、照射開口２０を通過する髪を上下両側から同時に効率よく加熱でき、ストレート処理やカール処理をより短い時間で行える。
【００４１】
また、リフレクター１９を利用して防眩フィルター２３をプレス体５に挟持固定するので、防眩フィルター２３を固定するための構造を別途設ける必要がなく、その分だけ挟み腕ケース８・９の内部構造を簡素化して、ヘアーアイロンの低コスト化に寄与できる。さらに、リフレクター１９が光源１３の放射光の熱を受けて高い温度に加熱された状態において、リフレクター１９の熱を密着面からプレス体５に伝導して、リフレクター１９によりプレス体５を加熱することができる。従って、一対のプレス体５に挟まれた髪を、光源１３の放射光の熱とプレス体５の熱で効果的に加熱して、髪の乾燥やくせ付けなどの髪処理を効果的に行うことができる。上記のように、リフレクター１９の熱を密着面からプレス体５に伝導してプレス体５を加熱する場合には、光源１３の発光出力によっては、プレス体５の温度が高くなりすぎることがある。こうした場合には、リフレクター１９とプレス体５の間にマイカなどの温度緩衝体を設けて、リフレクター１９からプレス体５に伝導する熱の温度を下げることができる。このように、リフレクター１９とプレス体５が温度緩衝体を介して密着する場合にも、リフレクター１９の照射開口２０側の端部がプレス体５の内面に密着しているものと見做すこととする。なお、光源１３の発光出力を小さくする場合には、リフレクター１９の発熱温度が低下するので、上記の温度緩衝体は省略することができる。
【００４２】
ヘアーアイロンで髪を梳き流すときに、熱を受けて外向きに開いたキューティクルが傷むことを防ぐために、プレス体５を挟み腕ケース８・９の平端壁８ａ・９ａに設けたガイドボス３３で出没自在に支持し、さらにプレス体５を圧縮コイル形のプレスばね３４で進出付勢している。プレスばね３４はプレス体５の開口周縁に張出したフランジ壁５ａと、挟み腕ケース８・９の内部に設けたばね受座３５の間に装着されており、フランジ壁５ａの周囲の４〜８個所に配置されている。
【００４３】
このように、プレス体５をガイドボス３３で出没自在に支持しプレスばね３４で進出付勢すると、一対のプレス体５で挟み保持した髪に大きな圧迫力が作用する場合に、プレス体５を挟み腕ケース８・９の内部に退入させて、髪が強く擦られるのを解消できる。従って、ヘアーアイロンで髪を梳き流すとき、例えば挟み腕ケース８・９を握る力が過剰に大きい場合であっても、髪に作用する圧迫力をプレスばね３４に吸収させて、熱を受けて外向きに開いたキューティクルが傷付くのを解消できる。また、プレス体５の落下衝撃が作用するような場合であっても、プレスばね３４が圧縮変形することで衝撃を吸収できるので、光源１３が破損するのをよく防止できる。
【００４４】
プレス体５・５の対向面のそれぞれに照射開口２０・２０が正対する状態で形成されていると、一対のプレス体５の間に髪を挟んだ状態では、光源１３の放射光を各照射開口２０から対向状に照射して、照射開口２０を通過する髪を挟持部の両側から同時に加熱できるので、さらに効果的に加熱することができる。また、加熱された髪を一対のプレス体５で即座に加圧して、加熱された髪の熱が外部に放散するのを防ぎながら、髪の乾燥やくせ付けなどの髪処理を遅滞なく行える。さらに、光源１３の放射光は照射開口２０と対向するプレス体５に向かって照射されるので、放射光が挟み腕ケース８・９の外へ照射されるのを確実に防止できる。従って、放射光がユーザーの目に届くのを解消して、眩しさを感じさせることなく整髪作業を円滑に行うことができる。顔肌が放射光の熱を受けて熱くなることも解消できる。光源１３の放射光の熱と、プレス体５の熱と、温度が高い冷却風の熱を髪に対して同時に作用させるので、髪の乾燥やくせ付けをさらに効果的に行うことができる。
【００４５】
実施例２に係るヘアーアイロンでは、リフレクター１９と挟み腕ケース８・９の間の空間を冷却風通路２６にして、プレス体５を間に挟んで平端壁８ａ・９ａの左右に開口した排風出口２７から冷却風を対向状に排出するようにした。このように、リフレクター１９の熱を奪った後の冷却風を、プレス体５の左右の排風出口２７から対向状に排出すると、プレス体５を通過する前の髪と、プレス体５を通過した後の髪に、リフレクター１９を冷却した後の温度の高い冷却風を同時に吹付けて、髪を効果的に乾燥させることができる。平端壁８ａ・９ａの左右両側端には、櫛刃状の扁平なブリッスル２８が互いに対向する状態で突設されている。
【００４６】
上記のように、一対の挟み腕ケース８・９の対向面にブリッスル２８を配置し、ブリッスル２８を、照射開口２０を通過する放射光の照射方向に沿って突設すると、一対のプレス体５で髪を挟み保持し、さらにブリッスル２８を髪束に食い込ませることにより、髪を確りと保持することができる。従って、単に一対のプレス体５で髪を挟み保持してテンションを作用させる場合に比べて、髪に対してさらに的確にテンションを作用させて、髪の乾燥やストレート処理を適確に行うことができる。また、髪を挟み腕ケース８・９の周囲に巻込む場合には、髪を挟み腕ケース８・９の周囲に密着する状態で楽に巻込むことができる。他は実施例１のヘアーアイロンと同じであるので、同じ部材に同じ符号を付して、その説明を省略する。以下の実施例においても同じとする。
【００４７】
（実施例３）  図７はヘアーアイロンの実施例３を示す。そこでは、実施例２のヘアーアイロンと同様に、一対のプレス体５の対向面のそれぞれに照射開口２０を開口するが、一方の照射開口２０と他方の照射開口２０を、各プレス体５に互い違い状に開口形成する点が実施例２と異なる。詳しくは、挟み腕ケース８側のプレス体５では、図７に向かってプレス面１４の左端部に照射開口２０を開口し、同開口２０に装着した防眩フィルター２３を断面がＵ字状のリフレクター１９で覆い、その内部に光源１３を配置するようにした。また、挟み腕ケース９側のプレス体５では、図７に向かってプレス面１４の右端部に照射開口２０を開口し、同開口２０に装着した防眩フィルター２３を断面がＵ字状のリフレクター１９で覆い、その内部に光源１３を配置するようにした。プレス体５は、実施例２で説明したプレス体５と同様に、ガイドボス３３で出没自在に支持して、圧縮コイル形のプレスばね３４で進出付勢するようにした。また、リフレクター１９の熱を奪った後の冷却風を、プレス体５を間に挟んで平端壁８ａ・９ａの左右に開口した排風出口２７から対向状に排出して、排風出口２７に臨む髪を加熱できるようにした。リフレクター１９が光源１３の放射光の熱を受けて高い温度に加熱された状態においては、リフレクター１９の熱を密着面からプレス体５に伝導して、リフレクター１９によりプレス体５を加熱することができる。
【００４８】
上記のように、一対のプレス体５の対向面のそれぞれに、照射開口２０が互い違い状に形成されていると、照射開口２０を通過する髪を上下両側から同時に加熱しながら、各照射開口２０から髪に向かって照射された光源１３の放射光の一部を、各照射開口２０と正対する各プレス体５の表面で反射させて、一対のプレス体５で挟まれた髪を加熱することができる。従って、光源１３の放射光の一部が髪束の髪の間を通り抜けることがあったとしても、各プレス体５の表面で反射させて髪を加熱することができ、放射光による髪の加熱を効果的に行うことができる。また、各照射開口２０が互い違い状に配置してあるので、光源１３の放射光の熱を分散して髪に作用させることができるので、一対のプレス体５で挟み保持された髪の温度が急激に上昇するのを防止して、キューティクルが傷むのをよく防止できる利点もある。
【００４９】
（実施例４）  図８、図９はヘアーアイロンの実施例４を示す。そこでは、実施例１のヘアーアイロンと同様に、挟み腕ケース８・９の平端壁８ａ・９ａに照射開口２０を開口するが、一対の照射開口２０を図８に向かって平端壁８ａ・９ａの左端寄りに形成している。また、照射開口２０に対応して、光源１３とリフレクター１９と防眩フィルター２３を設け、照射開口２０と平端壁８ａ・９ａの左端との間に排風出口２７を開口している。さらに、プレス体５の内面に熱電変換素子（ペルチェ素子）３７とヒートシンク（放熱部）３８を配置して、一対の照射開口２０を通過する間に加熱された髪を、プレス体５で押圧しながら冷却できるようにしている。加えて、リフレクター１９とヒートシンク３８の間に隔壁３９を配置して、冷却風通路２６の下流側を、リフレクター１９を冷却するための第１分岐通路４０と、熱電変換素子３７のヒートシンク３８を冷却するための第２分岐通路４１に区分するようにしている。隔壁３９は耐熱樹脂あるいはマイカで形成している。平端壁８ａ・９ａの照射開口２０とプレス体５の隣接部には、照射開口２０から照射される放射光を遮蔽する仕切り壁４４を対向状に突設している。
【００５０】
隔壁３９は、リフレクター１９の後端から挟み腕ケース８・９の前端にわたって設けられている。このため、第１分岐通路４０を流れる冷却風の大半は排風出口２７から放出されるが、冷却風の一部は挟み腕ケース８・９の先端側の端壁に開口した端部開口４２から放出される。また、第２分岐通路４１を流れる冷却風の全ては、挟み腕ケース８・９の先端側の端壁に開口した端部開口４３から放出される。そのため、排風出口２７が髪塊で塞がれてしまうような場合であっても、第１分岐通路４０を流れる冷却風を端部開口４２から確実に排出して、リフレクター１９が過熱するのを防ぐことができる。また、第２分岐通路４１を流れる冷却風の全てを端部開口４３から円滑に排出して、熱電変換素子３７が過熱して変換効率が低下することを防止できる。さらに、図９に示すように、ヘアーアイロンのグリップ部１Ｂを片手で握り、他方の手を挟み腕ケース８・９の先端にあてがった状態で髪処理を行う場合には、端部開口４２・４３から吹出る冷却風がケース先端にあてがった手に強く当たるので、挟み腕ケース８・９の内部の電気機器が正常に作動していることを明確に確認できる。同様に、挟み腕ケース８・９の先端を上下方向から挟んで髪の挟持を補助する場合にも、端部開口４２・４３から吹出る冷却風がケース先端にあてがった手に強く当たるので、挟み腕ケース８・９の内部の電気機器が正常に作動していることを明確に確認できる。
【００５１】
以上のように、プレス体５の内部に熱電変換素子３７を配置したヘアーアイロンによれば、一対の照射開口２０を通過する間に加熱された髪を、プレス体５でくせ付けしながら冷却するので、くせ付けされた髪を直ちに固定化して、髪がくせ付け前の状態に戻ろうとするのを確実に防止できる。従って、ヘアーアイロンによる髪のストレート処理やカール処理を短時間で的確に行うことができる。また、光源１３の放射光で加熱された髪をプレス体５でくせ付けしながら冷却することにより、熱を受けて開いたキューティクルを髪の表面に沿って密着させることができるので、髪のストレート処理やカール処理を行った後の髪の表面を艶やかにして、光沢のある仕上がり状態にすることができる。ストレート処理やカール処理を行った後に、冷風を髪に当てて開いたキューティクルを髪の表面に沿って密着させる手間を省略できる。
【００５２】
リフレクター１９とヒートシンク３８の間に隔壁３９を設けて、ヒートシンク３８がリフレクター１９の放射熱を受けて加熱されるのを隔壁３９で遮断するので、ヒートシンク３８による熱電変換素子３７の冷却を効率よく行って、熱電変換素子３７の熱電変換効率を向上し、プレス体５を効果的に冷却できる。また、１個の送風ファン１０から送給された冷却風を、各分岐通路４０・４１に沿ってリフレクター１９と、熱電変換素子３７の放熱部３８に整然と送給できるので、リフレクター１９および放熱部３８を確実に冷却することができる。さらに、照射開口２０とプレス体５の隣接部に仕切り壁４４を設けて、照射開口２０から照射された放射光がプレス体５の側へ入込むのを仕切り壁４４で遮断するので、プレス体５が放射光で加熱されるのを防止できる。１個の送風ファン１０から送給される冷却風で、リフレクター１９と熱電変換素子３７の放熱部３８の冷却を同時に行うので、光源１３の周辺構造を冷却する送風構造と、熱電変換素子３７を冷却する送風構造が個別に設けてある場合に比べて、整髪機器の構造を簡素化して軽量化できる。従って、整髪機器の使い勝手を向上できるうえ、全体コストを削減できる。
【００５３】
（実施例５）  図１０はヘアーアイロンの実施例５を示す。そこでは、実施例４と同様に、挟み腕ケース８・９の平坦壁８ａ・９ａに、照射開口２０とプレス体５を隣接配置し、プレス体５の内面に熱電変換素子３７とヒートシンク３８を配置している。また、挟み腕ケース８・９の内部の左右中央に光源１３を配置し、照射開口２０に向かって湾曲するリフレクター１９で、光源１３の放射光を照射開口２０へと反射案内できるようにしている。照射開口２０に対応して、光源１３とリフレクター１９と防眩フィルター２３を設け、プレス体５と平端壁８ａ・９ａの右端との間に排風出口２７を開口している。さらに、リフレクター１９とヒートシンク３８の間に、山形に屈曲する隔壁３９を配置して、隔壁３９の近傍の冷却風通路２６を、リフレクター１９を冷却するための第１分岐通路４０と、熱電変換素子３７のヒートシンク３８を冷却するための第２分岐通路４１に区分するようにした。図示していないが、挟み腕ケース８・９の先端側の端壁には、実施例４と同様に各分岐通路４０・４１に対応して端部開口４２・４３が開口している。仕切り壁４４は、各挟み腕ケース８・９に対して出没可能に支持して進出付勢することができ、その場合には、髪を一対の仕切り壁４４で挟んだ状態において、髪に対するダメージを抑制することができる。
【００５４】
以上のように構成した実施例５のヘアーアイロンによれば、一対の照射開口２０を通過する間に加熱された髪を、プレス体５でくせ付けしながら冷却するので、くせ付けされた髪を直ちに固定化して、髪がくせ付け前の状態に戻ろうとするのを確実に防止できる。従って、ヘアーアイロンによる髪のストレート処理やカール処理を短時間で的確に行うことができる。また、リフレクター１９とヒートシンク３８の間に隔壁３９を設けて、ヒートシンク３８がリフレクター１９の放射熱を受けて加熱されるのを隔壁３９で遮断するので、ヒートシンク３８による熱電変換素子３７の冷却を効率よく行って、熱電変換素子３７の熱電変換効率を向上し、プレス体５を効果的に冷却できる。さらに、照射開口２０とプレス体５の隣接部に仕切り壁４４を設けて、照射開口２０から照射された放射光がプレス体５の側へ入込むのを仕切り壁４４で遮断するので、プレス体５が放射光で加熱されるのを防止できる。光源１３の放射光を湾曲するリフレクター１９で照射開口２０へと反射案内するので、挟み腕ケース８・９の断面の違いなどに応じて、光源１３の配置位置を選定することができ、その分だけ設計の自由度を高くできる。
【００５５】
髪の乾燥方法においては、各実施例で説明したヘアーアイロンや、光源１３を備えるヘアードライヤなどの手持式の整髪機器を使用して髪を乾燥させることにより、髪の乾燥を速やかに行うことができる。図１１に示すように、光源１３を備えるヘアードライヤは、筒状のドライヤ本体４７の内部に送風ファン１０と、モーター１１と、光源１３と、光源１３の照射背面を覆う椀状のリフレクター１９を備えている。符号４８はグリップである。リフレクター１９の湾曲壁には、乾燥風の通過を許す一群の通風穴が放射状に形成してある。ドライヤ本体４７の吹出口４９は、光源１３の放射光を照射する放射開口２０を兼ねており、送風ファン１０から送給された乾燥風と、光源１３から照射された放射光を髪に向かって同時に送給して髪を加熱し乾燥できる。光源１３の周囲は、キャップ状の防眩フィルター２３で覆われている。
【００５６】
光源１３を備えたヘアードライヤを使用して髪を乾燥させる場合には、図１１に示すように、髪の毛先側をロールブラシ５０で捕捉して髪にテンションを作用させ、その状態でヘアードライヤの光源１３から照射される放射光を髪に向かって直接照射し、さらに吹出口４９から送給される乾燥風を送給して、髪を加熱し乾燥させる。光源１３を構成するハロゲンランプには、可視光と赤外光が含まれており、なかでも近赤外光は髪に付着している水分に吸収されやすいため、髪の乾燥を著しく促進できる。そのため、ヒーターの熱と、送風ファンから送給される乾燥風で髪を乾燥させる従来のヘアードライヤに比べて、髪を光エネルギーで速やかに乾燥できる。また、髪にテンションを作用させ、その状態を保持したままで髪の乾燥を行うことで、髪をストレートに伸ばすことができる。髪にテンションを作用させる場合には、ロールブラシ５０を使用するのが効果的であるが、櫛や平板状のヘアーブラシを使用して髪にテンションを作用させてもよい。また、髪の毛先を片手で保持して髪にテンションを作用させ、その状態でヘアードライヤの光源１３から照射される放射光を髪に向かって直接照射して、髪の加熱と乾燥を行ってもよい。
【００５７】
ヘアーアイロンを使用して髪を乾燥させる場合には、図４に示すように、髪を一対のプレス体５で挟み保持して髪にテンションを作用させた状態で、光源１３から照射開口２０を介して髪に向かって放射光を直接照射して髪を加熱し乾燥させる。その場合には、ヘアードライヤを使用して髪を乾燥させる場合と同様に、近赤外光を髪に付着している水分に吸収させることにより、髪の乾燥を著しく促進できる。従って、ＰＴＣヒーターから外ケースに伝導した熱と、送風ファンから送給される乾燥風で髪を乾燥させる従来のヘアーアイロンに比べて、髪を光エネルギーで速やかに乾燥できる。また、髪にテンションを作用させ、その状態を保持したままで髪の乾燥を行うことで、髪をストレートに伸ばすことができる。
【００５８】
上記のように、髪にテンションを作用させた状態で整髪機器の光源１３から照射される放射光を髪に向かって直接照射しながら髪を乾燥させると、ヒーターの熱や送風ファンから送給される乾燥風で髪を乾燥させる従来の整髪機器に比べて、髪を光エネルギーで速やかに乾燥できる。光源１３は例えばハロゲンランプで構成されるが、こうした光源１３には、可視光と赤外光が含まれており、なかでも近赤外光は髪に付着している水分に吸収されやすいため、髪の乾燥を短時間で効率よく行うことができる。また、髪にテンションを作用させ、その状態を保持したままで髪の乾燥を行うことで、髪を効果的にストレートに伸ばすことができる。
【００５９】
上記のように、一対の挟み腕ケース８・９の対向面にプレス体５を設け、プレス体５の設置個所を除く挟み腕ケース８・９のケース壁に照射開口２０が開口してある整髪機器を使用する場合には、次のようにして髪を加熱し乾燥させる。一対のプレス体５・５で挟んだ髪にテンションを作用させながら、光源１３の放射光を照射開口２０から照射して、プレス体５・５で引っ張られた髪を光源１３の放射光の熱で加熱し乾燥させる。こうした乾燥方法によれば、髪を光エネルギーで速やかに乾燥できるうえ、光源１３の放射光を髪に直接照射して髪を乾燥させるので、例えば、ヒーターを熱源とする場合に比べて、低コストで髪を乾燥させることができる。また、一対のプレス体５で挟み保持して髪にテンションを作用させるので、髪の乾燥とストレート処理を同時に行うことができ、ストレート処理を伴う整髪作業をより短い時間で効果的に行うことができる。
【００６０】
上記のように、ブラシまたは櫛を使用して髪にテンションを作用させ、その状態で手持式の整髪機器を使用して、光源１３から髪に向かって放射光を照射すると、髪を光エネルギーで速やかに乾燥できるうえ、光源１３の放射光を髪に直接照射して髪を乾燥させることができる。また、手持式の整髪機器に設けた光源１３から照射される放射光に含まれる熱エネルギーで髪を乾燥させるので、加熱した乾燥風で髪を乾燥させる従来の整髪機器に比べて、光源１３が点灯されるのと同時に高い温度の放射光を照射して、髪の乾燥を即座に開始することができる。
【００６１】
上記の実施例におけるヘアーアイロンでは、各挟み腕ケース８・９の断面外郭形状を同形同大の半円状に形成したがその必要はなく、各挟み腕ケース８・９の湾曲周面の曲率が大小に異なっている場合や、断面外郭形状が半楕円状に形成してある場合など、外突湾曲状の断面外郭形状であれば各挟み腕ケース８・９の断面外郭形状が異なっていてもよい。また、上記の各実施例においては、光源１３、イオン発生器１２、送風ファン１０などの機能部品を一対の挟み腕ケース８・９に配置したがその必要はなく、いずれか一方の挟み腕ケースにのみ機能部品が配置してあってもよい。
【符号の説明】
【００６２】
１  第１挟み腕
２  第２挟み腕
５  プレス体
８  １の挟み腕ケース
９  ２の挟み腕ケース
１０  送風ファン
１１  モーター
１２  イオン発生器
１３  光源
１４  プレス面
１９  リフレクター
２０  照射開口
２３  防眩フィルター
２６  冷却風通路
２７  排風出口
２８・２９  梳流し体（ブリッスル）
３７  熱電変換素子
３８  放熱部（ヒートシンク）
３９  隔壁
４０  第１分岐通路
４１  第２分岐通路
Ａ１  プレス部
Ａ２  グリップ部
【図１】
2019126704.tif 000003
【図２】
2019126704.tif 000004
【図３】
2019126704.tif 000005
【図４】
2019126704.tif 000006
【図５】
2019126704.tif 000007
【図６】
2019126704.tif 000008
【図７】
2019126704.tif 000009
【図８】
2019126704.tif 000010
【図９】
2019126704.tif 000011
【図１０】
2019126704.tif 000012
【図１１】
2019126704.tif 000013